(57)【要約】【課題】立てたままの状態に保持することなく、簡単な操作によって、注出口部を備える被詰替え容器に内容液を迅速に詰め替えることのできる詰替え用袋容器を提供する。【解決手段】袋１５に収容された内容液を、注出口部２２を備える被詰替え容器２１に詰め替えるための袋容器１０であって、袋１５は、前後一対の正面フィルム部１１，１２を含んで形成されている。後面側の正面フィルム部１２には、好ましくはこれの中央側領域１２ａに、詰替え流出口部材１６が取り付けられている。詰替え流出口部材１６は、注出口部２２に当該詰替え流出口部材１６を位置決めさせる筒状のガイド部１７と、筒状のガイド部１７の底部に設けられた流出口形成部１８とを含んでいる。流出口形成部１８は、注出口部２２に位置決めされた詰替え流出口部材１６を、注出口部２２の基端部側に押し込むことで、詰替え流出口１８ａを形成させる。【選択図】図１
2015124008.tif 000002
【特許請求の範囲】
【請求項１】
可撓性を有するフィルム材によって形成された袋に収容された内容液を、注出口部を備える被詰替え容器に詰め替えるための詰替え用袋容器であって、
前記袋は、前後一対の正面フィルムを含んで形成されており、いずれか一方の正面フィルムには、これの周縁部分を除いた領域に、詰替え流出口部材が取り付けられており、
該詰替え流出口部材は、前記注出口部に当該詰替え流出口部材を位置決めさせるガイド部と、流出口形成部とを含んでおり、
該流出口形成部は、前記ガイド部を介して前記注出口部に位置決めされた前記詰替え流出口部材を、前記注出口部の基端部側に押し込むことで詰替え流出口を形成させる詰替え用袋容器。
【請求項２】
前記流出口形成部は、前記詰替え流出口部材を前記注出口部の基端部側に押し込むことで、前記詰替え流出口に嵌着された状態から内側に脱落することによって、前記詰替え流出口を形成させる嵌着蓋を備えている請求項１記載の詰替え用袋容器。
【請求項３】
前記流出口形成部は、前記詰替え流出口部材を前記注出口部の基端部側に押し込むことで、前記詰替え流出口の周縁部を破断させることによって、前記詰替え流出口を形成させる易破断線を備えている請求項１記載の詰替え用袋容器。
【請求項４】
前記詰替え流出口部材は、いずれか一方の正面フィルムにおける、これの周縁部分を除いた中央側領域に取り付けられている請求項１〜３のいずれか１項記載の詰替え用袋容器。
【請求項５】
前記ガイド部が、前記注出口部を内側に配置する筒状のガイド部となっている請求項１〜４のいずれか１項記載の詰替え用袋容器。
【請求項６】
前記袋は、パウチ、ガセット袋、又はピロー袋である請求項１〜５のいずれか１項記載の詰替え用袋容器。
【請求項７】
前記袋は、前記詰替え流出口が形成されて内部に内容液が残っている状態で、前記流出口部材が取り付けられた部分を中心として、他方の正面フィルム側に二つ折りに折り曲げ可能となっている請求項１〜６のいずれか１項記載の詰替え用袋容器。
【請求項８】
前記袋を、他方の正面フィルム側に二つ折りに折り曲げることを容易にする折り畳み罫線が、前記正面フィルムに設けられている請求項７記載の詰替え用袋容器。
【請求項９】
前記袋に界面活性剤を含有する内容液が収容されている請求項１〜８のいずれか１項記載の詰替え用袋容器。
【請求項１０】
前記袋の周縁部分に、陳列用のフック部に係止させる陳列用係止孔が形成されている請求項１〜９のいずれか１項記載の詰替え用袋容器。
【発明の詳細な説明】
【技術分野】
【０００１】
本発明は、詰替え用袋容器に関し、特に、袋に収容された内容液を、注出口部を備える被詰替え容器に詰め替えるための詰替え用袋容器に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等の内容液を収納する容器として、パウチ等による詰替え用袋容器が多く用いられている。詰替え用袋容器は、収納した内容液を、吐出ノズル部や口首部（以下「注出口部」とする。）を備える被詰替え容器に詰め替えたり補充したりすることで、高価な被詰替え容器をその都度廃棄することなく、長期間使用できるようにする。
【０００３】
一方、パウチ等による詰替え用袋容器は、柔軟性や可撓性に富んだフィルム材によって形成されており、詰め替え作業の際に容器が変形し易く、きわめて不安定な状態となり易い。また、詰替え用袋容器による内容液の詰め替え作業は、例えば、ａ）袋の肩部や上端部の周縁部分に形成した詰替え流出口部の先端を切断する、ｂ）詰替え流出口部を被詰め替え容器の注出口部に位置決めする、ｃ）傾けて注ぐ、ｄ）傾けた状態を保持する、ｅ）絞る、ｆ）こぼれないように注意しつつ廃棄する、といった作業ステップによって行われるが、これらの作業ステップによる内容液の詰め替え作業は、多くの手間を要することになると共に、詰替え流出口部の位置決めが不安定になって、作業中に内容液をこぼし易い。
【０００４】
このようなことから、袋の肩部や上端部の周縁部分に、立体形状の詰替え流出口部材を突出させた状態で取り付けることで、被詰め替え容器の注出口部への位置決めを容易にして、安定した状態で内容液の詰め替え作業を行えるようにした詰替え用袋容器も開示されている（例えば、特許文献１参照）。
【先行技術文献】
【特許文献】
【０００５】
【特許文献１】特開２０１０−２１５２８２号公報
【発明の概要】
【発明が解決しようとする課題】
【０００６】
しかしながら、特許文献１の詰替え用袋容器では、被詰め替え容器の注出口部への安定した位置決めが可能になる一方で、袋を立てたままの状態で詰め替え作業を行う必要があるため、袋を立てたままの状態に保持するのに煩わしさを感じることになる。また袋の底部から、袋の肩部や上端部に取り付けられた詰替え流出口部材までの流路が長くなっているため、特に粘度の高い内容液の場合に、詰め替えに時間がかかり易くなる。
【０００７】
本発明は、袋を立てたままの状態に保持することなく、より簡単な操作によって、注出口部を備える被詰替え容器に、内容液を迅速に詰め替えてゆくことのできる詰替え用袋容器を提供することを目的とする。
【課題を解決するための手段】
【０００８】
本発明は、可撓性を有するフィルム材によって形成された袋に収容された内容液を、注出口部を備える被詰替え容器に詰め替えるための詰替え用袋容器であって、前記袋は、前後一対の正面フィルムを含んで形成されており、いずれか一方の正面フィルムには、これの周縁部分を除いた領域に、詰替え流出口部材が取り付けられており、該詰替え流出口部材は、前記注出口部に当該詰替え流出口部材を位置決めさせるガイド部と、流出口形成部とを含んでおり、該流出口形成部は、前記ガイド部を介して前記注出口部に位置決めされた前記詰替え流出口部材を、前記注出口部の基端部側に押し込むことで詰替え流出口を形成させる詰替え用袋容器を提供することにより、上記目的を達成したものである。
【発明の効果】
【０００９】
本発明の詰替え用袋容器によれば、袋を立てたままの状態に保持することなく、より簡単な操作によって、注出口部を備える被詰替え容器に、内容液を迅速に詰め替えてゆくことができる。
【図面の簡単な説明】
【００１０】
【図１】本発明の好ましい一実施形態に係る詰替え用袋容器の、（ａ）は斜め後方から見た斜視図、（ｂ）は斜め前方から見た斜視図である。
【図２】流出口部材を例示する（ａ）斜視図、（ｂ）は（ａ）のＡ−Ａに沿った断面図である。
【図３】他の流出口部材を例示する斜視図である。
【図４】本発明の好ましい一実施形態に係る詰替え用袋容器の使用状態を説明する斜視図である。
【図５】本発明の好ましい一実施形態に係る詰替え用袋容器の使用状態を説明する斜視図である。
【図６】（ａ）は、詰替え流出口部材の他の形態を例示する斜視図、（ｂ）は嵌着蓋の斜視図である。
【図７】図６（ａ）の詰替え流出口部材を、容器本体の口首部に押し込んだ状態の斜視図である。
【図８】（ａ）は、詰替え流出口部材のさらに他の形態を例示する斜視図、（ｂ）は嵌着蓋の斜視図である。
【図９】（ａ）は、図８（ａ）の詰替え流出口部材を、容器本体の口首部に押し込んだ状態の斜視図、（ｂ）は破断斜視図である。
【図１０】詰替え用袋容器の他の形態を例示する斜視図である。
【発明を実施するための形態】
【００１１】
図１（ａ）、（ｂ）に示す本発明の好ましい一実施形態に係る詰替え用袋容器１０は、好ましくは界面活性剤を含有する内容液として、詰替え用の液体洗剤が収容された、好ましくは自立可能なパウチとなっている。詰替え用袋容器１０は、可撓性を備えるフィルム材からなる前後一対の正面フィルム１１，１２と、底面フィルム１３（図５参照）とを、その周縁部を例えば融着や貼着による周縁接合部１４としてシールすることによって形成された袋１５に、内容液である液体洗剤を充填収容した状態で製品化されている。また、詰替え用袋容器１０は、袋１５を構成する後面側の正面フィルム１２の例えば下部中央部分に、詰替え流出口部材１６が外側に突出して設けられていることで、簡易な操作によって、注出口部２２を備える被詰替え容器２１（図４、図５参照）に迅速に内容液を詰め替えることができるようになっている。
【００１２】
そして、本実施形態の詰替え用袋容器１０は、可撓性を備えるフィルム材によって形成された袋１５に収容された内容液を、注出口部２２を備える被詰替え容器２１（図４、図５参照）に詰め替えるための自立可能なパウチであって、図１（ａ）、（ｂ）に示すように、袋１５は、前後一対の正面フィルム１１，１２を含んで形成されており、いずれか一方の正面フィルム１１，１２(本実施形態では、後面側の正面フィルム１２)には、これの周縁部分を除いた好ましくは中央側領域１１ａ，１２ａに、詰替え流出口部材１６が取り付けられている。詰替え流出口部材１６は、被詰替え容器２１の注出口部２２に当該当該流出口部材１６を位置決めさせるガイド部１７と、流出口形成部１８とを含んでいる。流出口形成部１８は、ガイド部１７を介して注出口部２２に位置決めされた詰替え流出口部材１６を（図４参照）、注出口部２２の基端部側に押し込むことで（図５参照）、詰替え流出口１８ａ（図２（ｂ）参照）を形成させるようになっている。
【００１３】
本実施形態では、内容液が収容される袋１５は、可撓性を備えるフィルム材として、例えばポリプロピレン、ポリエチレン等のポリオレフィン樹脂や、ポリエチレンテレフタレート等のポリエステル樹脂や、ナイロン等のポリアミド樹脂などによる、厚さが８０〜２５０μｍ程度のシート状の積層フィルム材料を用いて形成された、前後一対の正面フィルム１１，１２と、底面フィルム１３とからなる。袋１５は、パウチを形成する公知の方法によって、例えば前後一対の正面フィルム１１，１２の下部の間に、底面フィルム１３を二つ折りにして挟み込んだ状態で、これらのフィルム１１，１２，１３の周縁部を、融着や貼着によって周縁接合部１４として互いに接合することにより形成されている。また袋１５は、内容液が充填収容されることで、底面フィルム１３が押し拡げられた状態になると共に、前後一対の正面フィルム１１，１２の下端縁部と底面フィルム１３の下端縁部との下端周縁接合部１４ａを脚部として、自立可能に形成されている。
【００１４】
袋１５は、本実施形態では、例えば１００〜１５００ml程度、好ましくは２００〜１２００ml程度、さらに好ましくは４００〜１０００ml程度の内容量を備えるように形成されている。
【００１５】
本実施形態では、袋１５に充填収容された内容液を流出させる詰替え流出口部材１６は、周縁接合部１４に沿った部分である、正面フィルム１１，１２の周縁部分には設けられておらず、正面フィルム１１，１２の周縁部分を除いた、好ましくは中央側領域１１ａ，１２ａに取り付けられている。ここで、詰替え流出口部材１６が取り付けられている、周縁部分を除いた正面フィルム部１１，１２の中央側領域１１ａ，１２ａは、周縁部分として、例えば正面フィルム部１１，１２の周縁から５ｍｍ以上、好ましくは１５ｍｍ以上、さらに好ましくは３０ｍｍ以上の幅の帯状領域を除いた、これらの内側の領域である。
【００１６】
本実施形態では、前後一対の正面フィルム１１，１２のいずれか一方の正面フィルムとして、後面側の正面フィルム部１２の中央側領域１２ａに、詰替え流出口部材１６が、筒状のガイド部１７を外側に突出させて取り付けられている。本実施形態では、詰替え流出口部材１６は、図２（ａ）、（ｂ）にも示すように、被詰替え容器２１の注出口部２２（図４、図５参照）の先端部分を内側に配置することで当該詰替え流出口部材１６を位置決めさせる筒状のガイド部１７と、このガイド部１７の底部１７ａに設けられた流出口形成部１８とを含んでいる。流出口形成部１８は、筒状のガイド部１７を介して注出口部２２の先端部分に位置決めされた当該詰替え流出口部材１６を、注出口部２２の基端部側にさらに押し込むことで、詰替え流出口１８ａに嵌着された状態から内側に脱落することによって、詰替え流出口１８ａに注出口部２２を貫通させて詰替え流出口１８ａを形成させる嵌着蓋１９を備えている。
【００１７】
すなわち、本実施形態では、流出口部材１６は、図２（ａ）、（ｂ）に示すように、栓本体部３０と、被詰替え容器２１の注出口部２２によって栓本体部３０から袋１１の内側に押し出される嵌着蓋１９とからなる。栓本体部３０は、接合基盤部３１から上方に立設して、注出口部２２の先端部分を位置決めする、好ましくは半楕円形状又は半長円形状の中空断面形状を備える筒状のガイド部１７を備えている。この筒状のガイド部１７の内側領域の底部には、注出口部２２の外周断面形状に沿った略Ｕ字形状の開口縁部を有する詰替え流出口１８ａが形成されている。嵌着蓋１９は、詰替え流出口１８ａを筒状ガイド部１７とは反対側の下方から覆って、栓本体部３０に着脱可能に取り付けられている。例えば半楕円形状、又は半長円形状の中空断面形状を備える筒状のガイド部１７にガイドさせながら、注出口部２２の先端部分を当該ガイド部１７に挿入させることで、詰替え流出口部材１６を、詰替え流出口１８ａの略Ｕ字形状の開口縁部が注出口部２２の外周面に沿う向きに、容易に位置決めさせることができるようになっている。
【００１８】
筒状のガイド部１７を介して注出口部２２の先端部分に位置決めされた詰替え流出口部材１６を、内容液が充填収容された袋１５と共に、注出口部２２の基端部側にさらに押し込むことで、嵌着蓋１９が、詰替え流出口１８ａに嵌着された状態から袋１５の内側に脱落することによって（図２（ｂ）参照）、詰替え流出口１８ａに注出口部２２を貫通させて、詰替え流出口１８ａを形成できるようになっている。
【００１９】
また、本実施形態では、詰替え流出口部材１６’として、図３に示すように、詰替え流出口１８ａ’の周縁部を破断させることによって、詰替え流出口１８ａ’にノズル部２２を貫通させる易破断線２０を備えたものを用いることもできる。易破断線２０は、筒状のガイド部１７’を介して被詰替え容器２１の注出口部２２の先端部分に詰替え流出口部材１６’を位置決めしてから、詰替え流出口部材１６’を注出口部２２の基端部側にさらに押し込むことで、詰替え流出口１８ａ’の周縁部を破断させることによって、詰替え流出口１８ａ’に注出口部２２を貫通させて、詰替え流出口１８ａ’を形成させるようになっている。
【００２０】
すなわち、詰替え流出口部材１６’は、例えば特開２０１３−１８５２２号公報に記載の詰替え用軟包装容器を形成する台座パーツの流出口部分と略同様の構成を備えている。詰替え流出口部材１６’は、接合基盤部３４の中央部分から突出する筒状のガイド部１７’の内側領域において、例えば薄肉線からなる易破断線２０によって周囲を囲まれて接合基盤部３４に形成された、詰替え流出口１８ａ’の開口予定部である流出口形成部１８’を備えている。易破断線２０は、本実施形態では、筒状のガイド部１７’の突出基端部の内側縁部に沿って、一部を除いた略全周に連続して形成されている。
【００２１】
筒状のガイド部１７’を介して注出口部２２の先端部分に位置決めされた詰替え流出口部材１６’を、内容液が充填収容された袋１５と共に、注出口部２２の基端部側にさらに押し込むことで、易破断線２０を介して詰替え流出口１８ａ’の周縁部が破断することによって、詰替え流出口１８ａ’に注出口部２２を貫通させて、詰替え流出口１８ａ’を形成できるようになっている。
【００２２】
これらの詰替え流出口部材１６，１６’は、例えば接合基盤部３１，３４を介して正面フィルム１１，１２に接合するとで、正面フィルム１１，１２の好ましくは中央側領域１１ａ，１２ａに容易に取り付けることができる。
【００２３】
本実施形態では、詰替え用袋容器１０の袋１５には、詰替え用の内容液として、好ましくは界面活性剤を含有する内容液が収容されている。界面活性剤を含有する内容液としては、液体洗剤の他、例えば柔軟剤、漂白剤、化粧水、乳液、全身洗浄剤、シャンプー、コンディショナー等を収容することができる。
【００２４】
本実施形態では、詰替え用袋容器１０から内容液が詰め替えられる被詰替え容器２１は、図４及び図５に示すように、口首部２３を備える円筒ボトル形状の容器本体２４と、口首部２３を覆って取り付けられた、スパウト状のノズル部を注出口部２２として有する注出キャップ２５とを備えている。注出キャップ２５は、口首部２３に装着される装着スカート部２６と、装着スカート部２６の上端部から下方に延設して、口首部２３の内周面に沿って配置される内筒壁２７と、内筒壁２７の下端部に連設する底面壁（図示せず）と、底面壁から立設するノズル部２２とを含んで形成される。注出キャップ２５は、好ましくは計量キャップ（図示せず）と組み合わせて用いられる、公知のキャップ部材である。ノズル部２２は、内筒壁２７と離間した状態で、底面壁から、装着スカート部２６の上端部の上方に突出して設けられた、計量キャップを装着させる雌ネジ壁２８を超える高さ位置まで、立設して設けられている。ノズル部２２は、液体洗剤を注出させる際の傾倒方向とは反対側の部分を開放部２２ａとした、Ｕ字又は略Ｕ字の断面形状を備える、いわゆる注出スパウトとなっている。
【００２５】
上述の構成を備える本実施形態の詰替え用袋容器１０を用いて、被詰替え容器２１に内容液である液体洗剤を詰め替えるには、例えば図４に示すように、詰替え流出口部材１６が取り付けられた後面側の正面フィルム１２を、下方に向けて配置し、前面側の正面フィルム１１を上方に向けて配置して寝かせた状態で、前面側の正面フィルム１１に手のひらを添えるようにしながら袋容器１０を片手で把持する。しかる後に、詰替え流出口部材１６を、好ましくは正立状態で立設して載置されている、被詰替え容器２１のノズル部２２の先端部分に位置決めする。正面フィルム１２の中央側領域１１に設けられた詰替え流出口部材１６を位置決めする際に、ノズル部２２の先端部分が袋１５で隠れて見えなくなるが、筒状のガイド部１７が正面フィルム１２の表面よりも下方に突出して設けられているので、この筒状のガイド部１７を手掛かりとして、これの内側にノズル部２２の先端部分が配置されるように、把持した袋容器１０を動かすことで、詰替え流出口部材１６をスムーズに位置決めすることが可能になる。
【００２６】
そして、位置決めした詰替え流出口部材１６を、内容液が充填収容された袋１５と共に、ノズル部２２の立設基端部側にさらに押し込むだけのワンアクションの簡単な操作によって、嵌着蓋１９が、詰替え流出口１８ａに嵌着された状態から、ノズル部２２の先端部分を介して押し出されて、袋１５の内側に脱落する。これによって、詰替え流出口１８ａにノズル部２２が貫通すると共に、詰替え流出口１８ａが形成される。また、これとほぼ同時に、詰め替え用の内容液である液体洗剤が、詰替え流出口１８ａ及びノズル部２２を介して、袋１５の内部から被詰替え容器２１の容器本体２４に流入してゆく。
【００２７】
本実施形態では、詰替え流出口部材１６は、後面側の正面フィルム１２の周縁部分を除いた好ましくは中央側領域１２ａに取り付けられており、袋１５の底部や、肩部や上端部から、詰替え流出口部材１６までの内溶液の流路が、短縮された状態となっている。これによって、内容液の粘度が高い場合であっても、袋１５を平坦に押し潰すようにしながら、よりスムーズに、内容液を、詰替え流出口部材１６の詰替え流出口１８ａから流出させることが可能になる。また、本実施形態では、詰替え流出口部材１６は、後面側の正面フィルム１２の周縁部分を除いた中央側領域１２ａに取り付けられているため、当該詰替え流出口部材１６が設けられた部分を中心として、袋１５を二つ折りし易くなっている。これによって、例えば内容液の残量が少なくなった場合に、図５に示すように、内部に内容液が残っている状態で、詰替え流出口部材１６が取り付けられた部分を中心として、上方の前面側の正面フィルム部１１側に袋１５を二つ折りに折り曲げることで、残った内容液を、よりスムーズに、且つ効率良く被詰替え容器２１に詰め替えてゆくこが可能になる。
【００２８】
したがって、本実施形態の詰替え用袋容器１０によれば、袋１５を立てたままの状態に保持することなく、より簡単な操作によって、注出口部であるノズル部２２を備える被詰替え容器２１に、内容液を迅速に詰め替えてゆくことが可能になる。
【００２９】
図６（ａ）、（ｂ）は、詰替え流出口部材の他の形態を例示するものである。図６（ａ）、（ｂ）に示す詰替え流出口部材６０は、本願出願人の出願に係る特願２０１３−２４６３１９号に記載の詰替え容器用栓体と略同様の構成を備えている。すなわち、詰替え流出口部材６０は、栓本体６７と、この栓本体６７の天面板６７ａに開口形成された流出開口６７ｂを流出方向内側から閉塞して、栓本体６７に着脱可能に装着される嵌着蓋である栓蓋６８とからなる。栓本体６７は、流出開口６７ｂを囲んで天面板６７ａから流出方向外側に突出する流出筒６７ｃと、流出開口６７ｂを囲んで天面板６７ａから流出方向内側に突出する装着筒６７ｄ（図７参照）とを備えている。栓蓋６８は、外周面が装着筒６７ｄの内周面に密着する装着壁面部６８ａと、装着筒６７ｄの中空断面形状と同様の平面形状を有する閉塞板部６８ｂと、閉塞板部６８ｂの周縁部分から立設する押込み凸部６８ｃとを備えている。押込み凸部６８ｃを、流出開口６７ｂの開口周縁部に連続して、流出筒６７ｃの径方向外側まで切欠き形成された挿通口６９を介して、天面板６７ａから流出筒６７ｃに沿って流出方向外側に突出させ、且つ好ましくは押込み凸部６８ｃの先端面６８ｄの少なくとも一部を、流出筒６７ｃの外周面よりも径方向外側に配置した状態で、栓蓋６８が栓本体６７の装着筒６７ｄに嵌め込まれるようにして装着されている。
【００３０】
また、図６（ａ）、（ｂ）に示す詰替え流出口部材６０では、流出筒６７ｃの径方向外側に配置されて、被詰替え容器６５の口首部６６の外周形状に沿った内周形状部分６１ａを有するガイト外壁６１が、天面板６７ａから突出してガイド部として栓本体６７に設けられている。
【００３１】
さらに、図６（ａ）、（ｂ）に示す詰替え流出口部材６０では、栓本体６７の天面板６７ａにおける、押込み凸部６８ｃの挿通口６９と径方向に対向する部分を、流出筒６７ｃと共に切り欠いて、空気置換用切欠き部６３が形成されている。
【００３２】
図６（ａ）、（ｂ）に示す詰替え流出口部材６０では、当該詰替え流出口部材６０が取り付けられた詰替え用袋容器から内容液を被詰替え容器６５に詰め替える際に、図７に示すように、被詰替え容器６５の口首部６６を注出口部として、ガイト外壁６１によってガイドさせながら、流出筒１７ｃの外周面を被詰替え容器６５の口首部６６の内周面に沿わせるようにして、詰替え流出口部材６０を口首部６６に位置決めする。しかる後に、詰替え流出口部材６０を、詰替え用袋容器と共に口首部６６の基端部側に向けて押し込むことで、先端面６８ｄに被詰替え容器６５の口首部６６の端面部が当接した押込み凸部６８ｃが、詰替え用袋容器の内部に押し出される。これによって、栓蓋６８が装着筒６７ｄから脱落するので、流出開口６７ｂが開放されて、内容液を、詰替え用袋容器から被詰替え容器に流入させることが可能になる。またこの際に、被詰替え容器６５の内部の空気を、空気置換用切欠き部６３を介して排出することで、被詰替え容器１５の内部への内容液の流入に伴う空気置換を、スムーズに行うことが可能になる。
【００３３】
図８（ａ）、（ｂ）は、詰替え流出口部材のさらに他の形態を例示するものである。図８（ａ）、（ｂ）に示す詰替え流出口部材８０は、本願出願人の出願に係る特願２０１３−２４６３２１号に記載の詰替え容器用栓体と略同様の構成を備えている。すなわち、詰替え流出口部材８０は、栓本体８７と、この栓本体８７の天面板８７ａに開口形成された流出開口８７ｂを流出方向内側から閉塞して、栓本体８７に着脱可能に装着される嵌着蓋である栓蓋８８とからなる。栓本体８７は、流出開口８７ｂを囲んで天面板８７ａから流出方向外側に突出する流出筒８７ｃと、流出筒８７ｃを囲んで天面板８７ａから流出方向外側に突出する、被詰替え容器８５の口首部８６の外径と略同様の内径を備えるガイド部である筒状外壁８１と、流出開口８７ｂを囲んで天面板８７ａから流出方向内側に突出する装着筒８７ｄ（図９（ａ）、（ｂ）参照）とを備えている。また栓本体８７は、流出開口８７ｂから流出筒８７ｃの径方向外側に張り出して天面板８７ａに形成された挿通口８９（図９（ｂ）参照）を備えると共に、流出筒８７ｃの外周面及び装着筒８７ｄの外周面と、筒状外壁８１の内周面との間の領域において天面板８７に開口形成された外気連通口８３を備えている。栓蓋８８は、外周面が装着筒８７ｄの内周面に密着する装着壁面部８８ａと、装着筒８７ｄの中空断面形状と同様の平面形状を有する閉塞板部８８ｂと、閉塞板部８８ｂの周縁部分から立設する押込み凸部８８ｃとを備えている。押込み凸部８８ｃを、挿通口８９を介して天面板８７ａから流出筒８７ｃに沿って流出方向外側に突出させ、且つ押込み凸部８８ｃの先端面８８ｄの少なくとも一部を、流出筒８７ｃの外周面よりも径方向外側に配置した状態で、栓蓋８８が栓本体８７に嵌め込まれるようにして装着されている。
【００３４】
図８（ａ）、（ｂ）に示す詰替え流出口部材８０では、当該詰替え流出口部材８０が取り付けられた詰替え用袋容器から内容液を被詰替え容器８５に詰め替える際に、図９（ａ）、（ｂ）に示すように、被詰替え容器８５の口首部８６を注出口部として、筒状外壁８１によってガイドさせながら、流出筒８７ｃの外周面を被詰替え容器８５の口首部８６の内周面に沿わせるようにして、詰替え流出口部材８０を口首部８６に位置決めする。しかる後に、詰替え流出口部材８０を、詰替え用袋容器と共に口首部８６の基端部側に向けて押し込むことで、先端面８８ｄに被詰替え容器８５の口首部８６の端面部が当接した押込み凸部８８ｃが、詰替え用袋容器の内部に押し出される。これによって、栓蓋８８が装着筒８７ｄから脱落するので、流出開口８７ｂが開放されて、内容液を、詰替え用袋容器から被詰替え容器に流入させることが可能になる。またこの際に、被詰替え容器８５の内部の空気を、外気連通口８３を介して排出することで、被詰替え容器８５の内部への内容液の流入に伴う空気置換を、スムーズに行うことが可能になる。
【００３５】
なお、本発明は上記各実施形態に限定されることなく種々の変更が可能である。例えば、袋は、パウチである必要は必ずしも無く、４方シール又は３方シールされたピロー袋や、側面折り込み部を備えるガセット袋等の、その他の種々の可撓性を備えるフィルム材によって形成された袋であっても良い。袋に収容された詰め替え用の内容液は、液体洗剤等の界面活性剤を含有する内容液の他、食用や医薬用等のその他の種々の詰め替え用の内容液であっても良い。さらに、図１０に示すように、袋を構成する正面フィルムに、当該袋を他方の正面フィルム側に二つ折りに折り曲げることを容易にする、折り畳み罫線５０を設けることもでき、袋の周縁部分の好ましくはシ−ル部分に、陳列用のフック部に係止することを可能にする陳列用係止孔５１を形成しておくこともできる。
【符号の説明】
【００３６】
１０  詰替え用袋容器
１１  前面側の正面フィルム部
１１ａ  中央領域
１２  後面側の正面フィルム部
１２ａ  中央領域
１３  底面フィルム部
１４  周縁接合部
１４ａ  下端周縁接合部
１５  袋
１６  詰替え流出口部材
１７  ガイド部
１８  流出口形成部
１８ａ  詰替え流出口
１９  嵌着蓋
２０  易破断線
２１  被詰替え容器
２２  注出口部（ノズル部、口首部）
【図１】
2015124008.tif 000003
【図２】
2015124008.tif 000004
【図３】
2015124008.tif 000005
【図４】
2015124008.tif 000006
【図５】
2015124008.tif 000007
【図６】
2015124008.tif 000008
【図７】
2015124008.tif 000009
【図８】
2015124008.tif 000010
【図９】
2015124008.tif 000011
【図１０】
2015124008.tif 000012